(57)【要約】【課題】電気泳動表示装置の表示性能を向上する。【解決手段】互いに正負反対極性に帯電した第１及び第２の電気泳動粒子Ａ，Ｂを含むセル６と、セル６の視認方向１００にセル６を挟んで対向する第１及び第２の電極部７０，８０と、を備え、第１の電極部７０は、電圧が個別に制御される第１及び第２の電極７１，７２を備え、かつ、第２の電極部８０は、電圧が個別に制御される第３及び第４の電極８１，８２を備える。【選択図】図２
2011048332.tif 000002
【特許請求の範囲】
【請求項１】
互いに正負反対極性に帯電した第１及び第２の電気泳動粒子を含むセルと、
前記セルの視認方向に前記セルを挟んで対向する第１及び第２の電極部と、を備え、
前記第１の電極部は、電圧が個別に制御される第１及び第２の電極を備え、
かつ、
前記第２の電極部は、電圧が個別に制御される第３及び第４の電極を備える、電気泳動表示体。
【請求項２】
前記第１の電気泳動粒子が前記セル内を前記視認方向に沿う方向へ第１の経路で泳動し、前記第２の電気泳動粒子が前記セル内を前記視認方向に沿う方向とは反対方向へ前記第１の経路とは異なる第２の経路で泳動するように、前記第１〜第４の電極に印加する電圧極性パターンが制御される、請求項１記載の電気泳動表示体。
【請求項３】
前記第１の経路は、
前記第１及び第３の電極ペアで挟まれる前記セル内の第１の空間を経由する経路であり、
前記第２の経路は、
前記第２及び第４の電極ペアで挟まれる前記セル内の第２の空間を経由する経路である、請求項２記載の電気泳動表示体。
【請求項４】
前記第１及び第３の電極は、前記視認方向に沿う方向の平面視において前記セルの周縁領域に対応する領域にそれぞれ設けられ、
前記第２及び第４の電極は、前記平面視において前記周縁領域を除く中央領域に対応する領域にそれぞれ設けられた、請求項３記載の電気泳動表示体。
【請求項５】
前記第１の電気泳動粒子の表面、及び、前記第１の空間に属する前記セルの内壁面は、それぞれ親水性を有する、請求項４記載の電気泳動表示体。
【請求項６】
前記第２の電気泳動粒子の表面、及び、前記第２の空間に属する前記セルの内壁面は、それぞれ疎水性を有する、請求項５記載の電気泳動表示体。
【請求項７】
前記第１の電気泳動粒子は、加法混色又は減法混色の３原色のいずれか１色に対応する色粒子であり、前記第２の電気泳動粒子は、前記色粒子と補色関係にある色粒子である、請求項１〜６のいずれか１項に記載の電気泳動表示体。
【請求項８】
前記セルは、
前記第２の電気泳動粒子と同じ極性を有し、前記第１及び第２の電気泳動粒子よりも小さい帯電量を有する白粒子をさらに含む、請求項７記載の電気泳動表示体。
【請求項９】
前記電圧極性パターンの制御は、
同じ電極部に属する異なる電極に同じ極性の電圧を与える際に、電圧印加のタイミングをずらす制御を含む、請求項１〜８のいずれか１項に記載に電気泳動表示体。
【請求項１０】
請求項１〜９のいずれか１項に記載の電気泳動表示体と、
前記電圧極性パターンの制御を行なう制御回路と、
を備えた、電気泳動表示装置。
【請求項１１】
請求項１０記載の電気泳動表示装置を備えた電子機器。
【発明の詳細な説明】
【技術分野】
【０００１】
本発明は、帯電した粒子の溶媒中の電気泳動を利用した表示技術に関する。
【背景技術】
【０００２】
溶媒（分散媒）に帯電した粒子を分散させた分散液に電界を与えると、粒子は、クーロン力により分散媒中を移動（泳動）する。この現象を電気泳動といい、当該電気泳動を利用して、画像等の所望の情報を表示する電気泳動表示装置（electrophoretic display：ＥＰＤ）が知られている。
【０００３】
ＥＰＤの構成例としては、一対の基板間を、隔壁により複数のセルと呼ばれる閉空間に区画し、各セル内に、帯電した粒子（電気泳動粒子）及び分散媒を含む分散液を封入したものが知られている。
【先行技術文献】
【特許文献】
【０００４】
【特許文献１】特開２００４−４７７３号公報
【特許文献２】特開２００６−１６２９６９号公報
【発明の概要】
【発明が解決しようとする課題】
【０００５】
ＥＰＤの１つセルは１つの画素（ピクセル）に対応させることができ、３つのセルに異なる３色（例えば赤、緑、青）をそれぞれ対応付けることで、フルカラー表示が可能となる。セルの構成例としては、（１）白色粒子、黒色粒子、及び色分散液を充填する場合、（２）白色粒子、黒色粒子、及び色粒子を充填する場合、（３）白色粒子及び黒色粒子を充填し、かつ、カラーフィルタを付属する場合等が挙げられる。
【０００６】
上記（１）及び（２）のセル構成では、赤を表示したい場合、赤を表示するピクセル以外の緑と青の２ピクセルはそれぞれ白又は黒の表示状態に制御される。つまり、３つのピクセルの表示状態は、（赤、白、白）、（赤、白、黒）、（赤、黒、黒）のいずれかになる。緑や青を表示する場合も、同様に、表示させたい目的の色（単色）以外の２ピクセルはそれぞれ白又は黒の表示状態に制御される。
【０００７】
セルの表示状態を制御する手法としては、セルを挟む基板上に電極を設けて、基板面に垂直な方向（つまり、観測者の視認方向に沿う方向）に粒子を泳動させる手法（垂直型）が知られている。また、他の手法として、セルを区画する隔壁に電極を設けて、隔壁の面と垂直な方向（つまり基板面に平行な方向）に粒子を泳動させる手法（水平型）もある。
【０００８】
ここで、セル内に正負反対極性に帯電した粒子が混在している場合、表示状態（表示色）の制御に応じた粒子の泳動過程で、正負反対極性（以下、単に「反対極性」ともいう。）の粒子どうしがカップリングし、粒子の凝集や沈殿が生じ、ＥＰＤの表示性能が劣化する場合がある。
【０００９】
本発明の目的の一つは、電気泳動表示装置の表示性能を向上することにある。
【００１０】
なお、前記目的に限らず、後述する発明を実施するための形態に示す各構成により導かれる作用効果であって、従来の技術によっては得られない作用効果を奏することも本発明の他の目的の一つとして位置付けることができる。
【課題を解決するための手段】
【００１１】
本発明の電気泳動表示装置の一態様は、互いに正負反対極性に帯電した第１及び第２の電気泳動粒子を含むセルと、前記セルの視認方向に前記セルを挟んで対向する第１及び第２の電極部と、を備え、前記第１の電極部は、電圧が個別に制御される第１及び第２の電極を備え、かつ、前記第２の電極部は、電圧が個別に制御される第３及び第４の電極を備える。このような構成により、第１〜第４の電極の電圧が個々に制御されることで、セル内の正負反対極性に帯電した第１及び第２の電気泳動粒子の泳動経路をそれぞれの帯電極性に応じて個別的に制御することができる。
【００１２】
ここで、前記第１の電気泳動粒子が前記セル内を前記視認方向に沿う方向へ第１の経路で泳動し、前記第２の電気泳動粒子が前記セル内を前記視認方向に沿う方向とは反対方向へ前記第１の経路とは異なる第２の経路で泳動するように、前記第１〜第４の電極に印加する電圧極性パターンが制御される、ようにしてもよい。これにより、第１及び第２の電気泳動粒子を、セル内で互いに反対方向へ異なる経路で泳動させることができる。
【００１３】
また、前記第１の経路は、前記第１及び第３の電極ペアで挟まれる前記セル内の第１の空間を経由する経路であり、前記第２の経路は、前記第２及び第４の電極ペアで挟まれる前記セル内の第２の空間を経由する経路である、こととしてもよい。これにより、第１及び第２の電気泳動粒子を、セル内で空間的に分離された異なる経路で泳動させることができる。
【００１４】
さらに、前記第１及び第３の電極は、前記視認方向に沿う方向の平面視において前記セルの周縁領域に対応する領域にそれぞれ設けられ、前記第２及び第４の電極は、前記平面視において前記周縁領域を除く中央領域に対応する領域にそれぞれ設けられていてもよい。これにより、例えば、第１の電気泳動粒子は、セル内の周縁領域を経由する経路で泳動させ、第２の電気泳動粒子は、セル内の中央領域を経由する経路で泳動させることが可能となる。
【００１５】
また、前記第１の電気泳動粒子の表面、及び、前記第１の空間に属する前記セルの内壁面は、それぞれ親水性を有していてもよい。これにより、第１の電気泳動粒子は、親水性の内壁面近傍に沿った経路で第１の空間を泳動しやすくなる。
【００１６】
付加的に、前記第２の電気泳動粒子の表面、及び、前記第２の空間に属する前記セルの内壁面は、それぞれ疎水性を有していてもよい。これにより、第２の電気泳動粒子は、相対的に、第２の空間における疎水性の内壁面に偏在しやすくなる。
【００１７】
また、前記第１の電気泳動粒子は、加法混色又は減法混色の３原色のいずれか１色に対応する色粒子であり、前記第２の電気泳動粒子は、前記色粒子と補色関係にある色粒子である、こととしてもよい。これにより、色粒子によるカラー表示が可能となり、また、異なるセルで異なる補色の色粒子による混色表示を行なうこともできる。
【００１８】
さらに、前記セルは、前記第２の電気泳動粒子と同じ極性を有し、前記第１及び第２の電気泳動粒子よりも小さい帯電量を有する白粒子をさらに含む、こととしてもよい。これにより、１つのセルで３種類の色表示が可能となり、表示色の種類を広げることができる。
【００１９】
また、前記電圧極性パターンの制御は、同じ電極部に属する異なる電極に同じ極性の電圧を与える際に、電圧印加のタイミングをずらす制御を含む、こととしてもよい。これにより、第１又は第２の電気泳動粒子を、いったん特定の電極近傍に偏在させた後、同じ電極部に属する他の電極近傍に向けて泳動（分散）させることが可能となる。
【００２０】
さらに、本発明の電気泳動表示装置の一態様は、上述した電気泳動表示体と、前記電圧極性パターンの制御を行なう制御回路と、を備える。これにより、上述した電気泳動経路の個別制御が可能な電気泳動表示装置を実現できる。
【００２１】
また、本発明の電子機器の一態様は、当該電気泳動表示装置を備える。これにより、上述した電気泳動経路の個別制御が可能な電子機器を実現できる。
【図面の簡単な説明】
【００２２】
【図１】一実施形態に係る電気泳動表示装置を模式的に示す分解斜視図である。
【図２】図１に例示する電気泳動表示装置の模式的部分断面図である。
【図３】図１及び図２に例示する電気泳動表示装置の電極形状及び配置の一例を示す平面図である。
【図４】図３に例示する１つのセルに対する電極形状及び配置の変形例を示す平面図である。
【図５】図３に例示する１つのセルに対する電極形状及び配置の他の変形例を示す平面図である。
【図６】図２に例示する電気泳動表示体の１つのセルに着目した模式的部分断面図である。
【図７】（Ａ）〜（Ｄ）はそれぞれ或るセルの表示状態の一例を示す模式的部分断面図である。
【図８】本実施形態の電気泳動表示装置の表示制御の一例を説明する模式的部分断面図である。
【図９】本実施形態の電気泳動表示装置の表示制御に用いる電圧波形の一例を示す図である。
【図１０】本実施形態の電気泳動表示装置の表示制御に用いる電圧波形の変形例を示す図である。
【図１１】（Ａ）〜（Ｃ）はそれぞれ本実施形態の電気泳動表示装置の表示制御による電気泳動粒子の泳動経路のバリエーションを模式的に示す図である。
【発明を実施するための形態】
【００２３】
以下、図面を参照して本発明の実施の形態を説明する。ただし、以下に説明する実施形態は、あくまでも例示であり、以下に明示しない種々の変形や技術の適用を排除する意図はない。即ち、本発明は、その趣旨を逸脱しない範囲で種々変形（各実施例を組み合わせる等）して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００２４】
〔１〕一実施形態
図１は、一実施形態に係る電気泳動表示装置１を模式的に示す分解斜視図、図２は、図１に例示する電気泳動表示装置１の模式的部分断面図、図３は、電気泳動表示装置１の電極形状及び配置の一例を示す平面図である。なお、図２中の矢印１００は、電気泳動表示装置１の観測者の視認方向を表わし、図３は、視認方向１００の平面視における平面図に相当している。
【００２５】
図１及び図２に示すように、本実施形態の電気泳動表示装置１は、例示的に、基板３と、基板３の一方の面において複数の隔壁３０によって空間的に区画された複数の凹部３１と、各凹部３１の開口部を塞ぐように各隔壁３０に接合された基板４とを備える。
【００２６】
隔壁３０は、例えば、基板３の一方の面に所定パターンの壁部（凸部）を形成することで得ることができる。このような凸部を形成する方法の一例としては、インクジェット法（液滴吐出法）、スクリーン印刷法、グラビア印刷法、ナノインプリント法等の印刷法、フォトリソグラフィー法等が挙げられる。他の例として、基板３上に凸部を成す材料の層を形成した後、この層を所定パターンに従って機械的、物理的又は化学的エッチング、あるいは、レーザ加工、型押し（エンボス）加工等の機械加工、ブラスト処理等することでも隔壁３０を形成することが可能である。
【００２７】
隔壁３０の材料としては、例示的に、エポキシ系樹脂、アクリル系樹脂、ウレタン系樹脂、メラミン系樹脂、フェノール系樹脂等の各種樹脂材料や、シリカ、アルミナ、チタニア等の各種セラミックス材料等が挙げられ、これらから選択された１種または２種以上を組み合わせて用いることができる。非限定的な一例としては、東京応化工業社製ＭＥＭＳ用永久フォトレジストTMMR  S2000を用いることができる。隔壁３０の基板３に垂直な方
向の平均的な高さ、換言すれば、基板３及び４間の距離は、非限定的な一例として、１０〜５００μｍ程度に設定することができる。
【００２８】
凹部３１の内壁と基板４とで形成された閉空間６はセルと呼ばれ、セル６のそれぞれには、所定の溶媒（分散媒）に粒子Ａ〜Ｃを分散（懸濁）させた溶液（分散液）５が封入されている。粒子Ａ〜Ｃの分散媒への分散は、例えば、ペイントシェーカー法、ボールミル法、メディアミル法、超音波分散法、攪拌分散法等のうちの１種または２種以上を組み合わせて実施することができる。
【００２９】
１つのセル６は、１つの画素（ピクセル）に対応させることができ、例えば、フルカラー表示を行なう場合には、３つのセル６に異なる３色のいずれかを対応させることができる。異なる３色としては、加法混色の３原色（赤、緑、青）、あるいは当該３原色とそれぞれ補色の関係にある減法混色の３原色（シアン、マゼンタ、イエロー）を用いることができる。
【００３０】
視認方向１００の平面視におけるセル６の形状は、例示的に、三角形、四角形、六角形、円形、楕円形等の形状とすることができる。仮に、セル６の形状を六角形として、セルパターンをハニカム形状とすれば、表示部（電気泳動表示体２）としての機械的強度を向上できる。
【００３１】
また、基板３の他方の面側（視認方向１００とは反対側）には、１セルあたり２つの電極８１及び８２が設けられ、基板４の視認方向１００から視認される側には、１セルあたり２つの電極７１及び７２が設けられている。つまり、１つのセル６には、合計４つの電極７１，７２，８１及び８２が設けられている。
【００３２】
便宜的に、図２の視認方向１００から視認される第１及び第２の電極７１及び７２は「表面電極」、視認方向１００とは反対側の第３及び第４の電極８１及び８２は「裏面電極」とそれぞれ称することがある。表面電極７１及び７２は、第１の電極部７０を成し、裏面電極８１及び８２は、セル６を視認方向１００に挟んで第１の電極部７０と対向する第２の電極部８０を成している。
【００３３】
なお、上記の基板３、基板４、セル６、電極７１，７２，８１及び８２が、電気泳動表示装置１の表示部として機能する電気泳動表示体２を成す。電気泳動表示体２は、例示的に、ＥＰＤパネルやＥＰＤシートを含む概念である。
【００３４】
視認方向１００から視認される基板４、表面電極７１及び７２には、画素に相当するセル６内を視認できるように、可視光波長域の光線を透過する透明基板及び透明電極をそれぞれ用いることができる。
【００３５】
透明基板及び透明電極の材料としては、実質的に導電性を有するもので足りる。非限定的な一例としては、銅、アルミニウムまたはこれらを含む合金等の金属材料、カーボンブラック等の炭素系材料、ポリアセチレン、ポリピロール、またはこれらの誘導体等の電子導電性高分子材料、ポリビニルアルコール、ポリカーボネート、ポリエチレンオキシド等のマトリックス樹脂中に、ＮａＣｌ、ＬｉＣｌＯ4、ＫＣｌ、ＬｉＢｒ、ＬｉＮＯ3、ＬｉＳＣＮ等のイオン性物質を分散させたイオン導電性高分子材料、インジウム錫酸化物（ＩＴＯ）、フッ素ドープした錫酸化物（ＦＴＯ）、錫酸化物（ＳｎＯ2）、インジウム酸化物（ＩＯ）等の導電性酸化物材料のような各種導電性材料が挙げられ、これらのうちの１種または２種以上を組み合わせて用いることができる。透明電極の非限定的な実施例としては、東レ社製PET/ITOシートNXC1を用いることができる。なお、電極７１及び７２にも以上と同等の材料を用いることができる。
【００３６】
裏面電極８１及び８２は、回路基板９の一方の面に形成したものでもよい。回路基板９には、裏面電極８１及び８２のほか、例示的に、スイッチング素子として機能する薄膜トランジスタ（ＴＦＴ）や、電極７１，７２，８１及び８２に印加する電圧を制御する制御回路９１等を含む電気回路（図示省略）が設けられている。制御回路９１は、電極７１，７２，８１及び８２とそれぞれ電気的に接続されており、それぞれに印加する電圧の大きさ及び極性（正負）を個別に制御することができる。
【００３７】
基板３、基板４、及び隔壁３０は、それぞれ、例示的に、電気的な絶縁性とセル６内に封入された分散液の不透過性（保持性）とを有する。基板３、基板４、及び隔壁３０には、それぞれ、例えば、ガラス基板を用いてもよいし、可撓性を有するシート状部材を用いてもよい。基板３及び４に、可撓性を有するシート状部材を用いれば、例えば電子ペーパー等の変形自在な表示部を得ることができる。可撓性を有するシート状部材の材料としては、例えば、ポリオレフィン、液晶ポリマー、熱可塑性エラストマー等、またはこれらを主とする共重合体、ブレンド体、ポリマーアロイ等が挙げられ、これらのうちの１種または２種以上を混合して用いることができる。シート状部材の厚さは、ＥＰＤとしての柔軟性と強度との調和を図りつつ、適宜に設定可能であり、非限定的な一例として、２０〜５００μｍ程度とすることができる。
【００３８】
（電極形状及び配置）
基板４側の一方の表面電極７１は、図３に例示するように、電気泳動表示装置１を図２中の視認方向１００から見たときに、セル６の周縁領域に沿って環状に延在するように設けることができる。電極７１は、視認方向１００から見たときのセル６の形状に応じた形状とすることができる。一方、基板４側の他方の表面電極７２は、視認方向１００から見たときに、環状の表面電極７１に囲まれるようにセル６の中央領域に設けることができる。
【００３９】
同様に、基板３側の一方の裏面電極８１も、例示的に、セル６に対して表面電極７１と同等の形状及び配置とすることができ、他方の裏面電極８２も、例示的に、セル６に対して表面電極７２と同等の形状及び配置とすることができる。すなわち、裏面電極８１は、電気泳動表示装置１を回路基板９側から見たときに、セル６の周縁領域に沿って環状に延在するように設けることができ、裏面電極８２は、電気泳動表示装置１を回路基板９側から見たときに、当該環状の電極８１に囲まれるようにセル６の中央領域に設けることができる。ただし、電極７１及び電極８１（電極７２及び電極８２）の形状及び配置は、同一でなくてもよい。例えば、後述するセル６内の電気泳動経路の制御性との関係で許容される範囲で適宜に異なる形状とすることができる。
【００４０】
なお、電極７１，７２，８１及び８２の形状及び配置は、図３に示す形状及び配置に限られず、例えば図４又は図５に示すような形状及び配置としてもよい。図４及び図５は、いずれも図３に対応する電気泳動表示装置１の模式的部分平面図である。
【００４１】
図４に示す例では、視認方向１００から見た平面視において、矩形のセル６の対向する二辺側に、一定幅を有し各辺に沿って延在する帯状の表面電極７１が設けられるとともに、当該電極７１に挟まれる領域に、一定幅を有し電極７１と並行に延在する帯状の表面電極７２が設けられている。なお、基板３側の裏面電極８１及び８２についても同等の形状及び配置とすることができる。電極７２（８２）の幅（面積）は、図４中に例示するように電極７１（８１）の幅（面積）よりも大きく設定することができる。ただし、これに限定されない。
【００４２】
なお、図３又は図４に例示する電極形状及び配置の場合、相対的な位置関係から、便宜的に、電極７１は「表面中央電極」、電極７２は「表面外周電極」とそれぞれ称し、視認側の反対側である基板３側の電極８１は「裏面中央電極」、電極８２は「裏面周縁電極」とそれぞれ称することがある。
【００４３】
一方、図５に示す例では、視認方向１００から見た平面視において、矩形のセル６の面積を２分割したときの一方に表面電極７１が設けられるとともに他方に表面電極７２が設けられている。基板３側の裏面電極８１及び８２についても同等の形状及び配置とすることができる。電極７１及び電極７２の面積は、同等でもよいし互いに異なっていてもよい。
【００４４】
図３、図４及び図５のいずれの場合においても、表面電極７１及び７２間、並びに、裏面電極８１及び８２間は、それぞれ、互いに空間的に離間されて電気的に絶縁されており、各電極７１，７２，８１及び８２は、それぞれ、既述の制御回路９１から個別に（独立して）印加電圧の制御を受ける。電圧制御には、印加電圧の大きさ及び極性（正負）の制御が含まれる。
【００４５】
印加電圧の大きさを制御することで、図２に示すセル６内の電気泳動粒子の泳動速度を制御することができる。また、印加電圧の極性を制御することで、セル６内の電気泳動粒子を、視認側である基板４側に偏在させたり、逆に、視認側とは反対側である基板３側に偏在させたりすることができる。
【００４６】
さらに、図３、図４又は図５に例示する電極形状及び配置において、各電極７１，７２，８１及び８２に印加する電圧極性（正負）のパターンを制御することで、電気泳動粒子の極性（正又は負帯電）に応じて当該粒子の泳動経路をセル６内の異なる領域に偏らせることも可能となる。
【００４７】
例えば、正又は負の帯電極性をもつ第１の粒子は図２に示すセル６の第１の領域（例えば周縁領域）を経由する第１の経路で視認方向１００に沿う方向へ泳動させ、反対極性をもつ第２の粒子は図２に示すセル６の第２の領域（例えば中央領域）を経由する第２の経路で第１の粒子とは反対方向に泳動させる制御（泳動経路制御）が可能となる。
【００４８】
なお、セル６の「周縁領域」は表面電極７１及び裏面電極８１のペアで挟まれる（第１の）空間、「中央領域」は表面電極７２及び裏面電極８２のペアで挟まれる（第２の）空間とそれぞれ位置付けることができる。この場合、第１の空間の一例である周縁領域にはセル６の内壁を成す隔壁３０表面が属し、第２の空間の一例である中央領域にはセル６の内壁を成す基板３及び４の表面が属している。これらの表面には後述するように電極形状及び配置に応じたパターンで親水部又は疎水部を設けることができる。
【００４９】
（分散液）
次に、図２に示すセル６に封入された分散液５について説明する。
【００５０】
セル６には、所定の溶媒（分散媒）に電気泳動粒子（図２に示す例ではＡ〜Ｃ）を分散（懸濁）させた溶液（分散液）５が充填、封入されている。分散液５をセル６（凹部３１）内に充填する方法の一例としては、凹部３１を有する基板３を分散液５に漬す方法、ディスペンサを用いた滴下法、インクジェット法（液滴吐出法）、スピンコート法、ディップコート法、スプレーコート法等の各種塗布法が挙げられる。滴下法、またはインクジェット法を用いれば、分散液５を目的のセル６に対して選択的に供給することができる。したがって、セル６内に無駄なく、確実に分散液５を供給することができる。なお、セル６に対して分散液５を供給する方向は、必ずしも鉛直下方に限られない。側方又は鉛直上方でも供給可能である。
【００５１】
分散媒としては、例えば、メタノール等のアルコール類、メチルセロソルブ等のセロソルブ類、酢酸メチル等のエステル類、アセトン等のケトン類、ペンタン等の脂肪族炭化水素類（流動パラフィン）、シクロヘキサン等の脂環式炭化水素類、ベンゼン等の芳香族炭化水素類、塩化メチレン等のハロゲン化炭化水素類、ピリジン等の芳香族復素環類、アセトニトリル等のニトリル類、Ｎ，Ｎ−ジメチルホルムアミド等のアミド類、カルボン酸塩またはその他の各種油類等が挙げられ、これらを単独または混合物として用いることができる。
【００５２】
中でも、分散媒としては、脂肪族炭化水素類（流動パラフィン）を主成分とするものが好ましい。流動パラフィンを主成分とする分散媒は、電気泳動粒子の凝集抑制効果が相対的に高く、かつ、セル６の構成材料との親和性（溶解性）が相対的に低いことから好ましい。これにより、ＥＰＤの表示性能が経時的に劣化することを防止または抑制することができる。また、流動パラフィンは、不飽和結合を有しないため耐候性に優れ、および安全性も高いという点からも好ましい。
【００５３】
また、分散媒中には、必要に応じて、例えば、電解質、アルケニルコハク酸エステルのような界面活性剤（アニオン性またはカチオン性）、金属石鹸、樹脂材料、ゴム材料、油類、ワニス、コンパウンド等の粒子からなる荷電制御剤、シラン系カップリング剤等の分散剤、潤滑剤、安定化剤等の各種添加剤を添加してもよい。
【００５４】
さらに、分散媒を着色する場合には、分散媒に、必要に応じて、アントラキノン系染料、アゾ系染料、インジゴイド系染料等の各種染料を溶解してもよい。
【００５５】
中でも、ディスペンサ等でセル６内に異なる分散液５を打ち分ける際には、Isopar M、Isopar G等の粘度の高い炭化水素溶媒が適している。
【００５６】
（電気泳動粒子）
分散液５中には、複数種の電気泳動粒子を含有させることができる。図２においては、例示的に、Ａ、Ｂ及びＣの３種類の粒子が分散液５中に含有されている様子を示している。
【００５７】
上記の粒子Ａ〜Ｃとしては、例示的に、顔料粒子、樹脂粒子またはこれらの複合粒子のうちの少なくとも１種を用いることができる。
【００５８】
顔料粒子を組成する顔料としては、例えば、アニリンブラック、カーボンブラック等の黒色顔料、酸化チタン、酸化アンチモン等の白色顔料、モノアゾ、ジスアゾ、ポリアゾ等のアゾ系顔料、イソインドリノン、黄鉛、黄色酸化鉄等の黄色顔料、キナクリドンレッド、クロムバーミリオン等の赤色顔料、フタロシアニンブルー、インダスレンブルー等の青色顔料、フタロシアニングリーン等の緑色顔料等が挙げられ、これらのうち１種または２種以上を組み合わせて用いることができる。
【００５９】
また、樹脂粒子を組成する樹脂材料としては、例えば、アクリル系樹脂、ウレタン系樹脂、尿素系樹脂、エポキシ系樹脂、ポリスチレン、ポリエステル等が挙げられ、これらのうちの１種または２種以上を組み合わせて用いることができる。複合粒子としては、例えば、顔料粒子の表面を樹脂材料や他の顔料で被覆したもの、樹脂粒子の表面を顔料で被覆したもの、顔料と樹脂材料とを適当な組成比で混合した混合物で構成される粒子等が挙げられる。これらの粒子は、製造が容易であるとともに、荷電の制御を比較的容易に行うことができるという利点を有している。
【００６０】
顔料粒子の表面を他の顔料で被覆した粒子としては、例えば、酸化チタン粒子の表面を、酸化珪素や酸化アルミニウムで被覆したものを例示することができ、かかる粒子は、白色粒子として用いることができる。また、カーボンブラック粒子またはその表面を被覆した粒子は、着色粒子（黒色粒子）として用いることができる。
【００６１】
粒子Ａ〜Ｃの平均粒径は、例えば、可視光域において十分な隠蔽率（表示コントラスト）が得られる一方、粒子Ａ〜Ｃの沈降し易くなって表示品質が劣化しない範囲で、適宜に選ぶことができる。このような範囲を満たす粒子Ａ〜Ｃの平均粒径は、非限定的な一例として、０．１〜１０μｍ程度である。
【００６２】
粒子Ａ及びＢは、互いに反対の極性を有する荷電粒子とすることができる。例示的に、粒子Ａは、正（＋）に帯電した正帯電粒子であり、粒子Ｂは、負（−）に帯電した負帯電粒子である。
【００６３】
これに対して、粒子Ｃは、粒子Ａ及びＢに比して帯電量が十分に少ない微弱帯電粒子あるいは実質的に極性を有さない（無帯電）粒子とすることができる。この場合、粒子Ｃは、電極７１，７２，８１及び８２により印加される電界の影響を受けないか、あるいは受け難いため、分散液５中に平均的に分散する傾向にある。なお、粒子Ｃを微弱帯電粒子とする場合、粒子Ａ及びＢのいずれか一方と同じ極性の帯電粒子とすることができる。
【００６４】
正帯電の電気泳動粒子Ａは、正電荷を有する粒子であるから、４つの電極７１，７２，８１及び８２のうち、負の電圧が印加されている電極に吸着（付着）するように、当該電極に向かって泳動する。逆に、負帯電の電気泳動粒子Ｂは、負電荷を有する粒子であるから、４つの電極７１，７２，８１及び８２のうち、正の電圧が印加されている電極に吸着するように、当該電極に向かって泳動する。
【００６５】
したがって、電極７１，７２，８１及び８２に印加する電圧極性のパターンを制御することで、帯電粒子Ａ及びＢを、それぞれ、セル６内において、４つの電極７１，７２，８１及び８２のうちのいずれかに対応する領域（空間）に偏在させることができる。このようにして、電気泳動表示装置１は、視認方向１００から視認されるセル６内の色（以下、「表示色」ともいう。）を変更することが可能となる。また、前記電圧極性のパターンを制御することで、互いに正負反対極性に帯電した粒子Ａ及びＢのセル６内の泳動経路を個別に制御することも可能となる。したがって、表示色の切り替えの際に、帯電粒子Ａ及びＢを互いに異なる経路で基板３及び４間を泳動させることができ、互いの衝突（カップリング）確率を低減することが可能である。当該泳動経路制御の詳細については後述する。
【００６６】
粒子Ａ〜Ｃの色は、一部又は全部を異なる色とすることができる。粒子Ａ〜Ｃの色としては、それぞれ、例示的に、白色（Ｗ）、黒色またはこれらの中間色（灰色）などの無彩色や、赤（Ｒ）、緑（Ｇ）、青（Ｂ）の加法混色の３色、シアン（Ｃｙ）、マゼンタ（Ｍａ）、イエロー（Ｙｅ）の減法混色の３原色等の有彩色のうちから、いずれかを任意に選択することができる。
【００６７】
また、粒子の極性（正／負／無帯電）と粒子の色の組み合わせも任意に選択することができる。例示的に、微弱帯電又は無帯電の粒子Ｃを白粒子、正帯電粒子ＡをＲＧＢのいずれか１色、負帯電粒子ＢをＲＧＢの補色に相当するシアン（Ｃｙ）、マゼンタ（Ｍａ）、及びイエロー（Ｙｅ）のいずれか１色とする組み合わせが可能である。
【００６８】
互いに補色関係にある２色の色粒子Ａ及びＢと白粒子Ｃとを用いることで、１つのセルで３種類の色表示が可能となり、表示色の種類を広げることができる。換言すれば、セル６（分散液５）は、白粒子Ｃ＋色粒子Ａ＋色粒子Ａの補色粒子Ｂ＋無色溶媒の構成とすることができる。
【００６９】
例えば、第１のセル６において、「色粒子Ａ」を赤（Ｒ）粒子とすれば、赤粒子の補色粒子はシアン（Ｃｙ）粒子であるから、第１のセル６には、白（Ｗ）粒子、赤粒子、シアン粒子を含む分散液５が封入される。また、別の第２のセル６において、「色粒子Ａ」を緑（Ｇｒ）とすれば、緑粒子の補色はマゼンタ（Ｍａ）粒子であるから、第２のセル６には、白粒子、緑粒子、マゼンタ粒子を含む分散液５が封入される。同様に、さらに別の第３のセル６において、「色粒子Ａ」を青（Ｂ）粒子とすれば、青粒子の補色粒子はイエロー（Ｙｅ）粒子であるから、第３のセル６には、白粒子、青粒子、イエロー粒子を含む分散液５が封入される。
【００７０】
以上をまとめると、セル６における分散液５としては、下記の表１に例示するように、３種類の構成＃１〜＃３のいずれかを選ぶことができる。これらの３種類の構成＃１〜＃３のセル６の表示色の組み合わせでフルカラー表示を行なうことができる。
【表１】
2011048332.tif 000003
【００７１】
ここで、或る構成＃ｉ（ｉ＝１〜３のいずれか）のセル６を色粒子Ａ（Ｒ又はＧ又はＢ）による表示色とし、残り２つの構成＃ｊ（ｊ＝１〜３でｊ≠ｉ）のセル６をそれぞれシアン、マゼンタ及びイエローのうちの２色の補色粒子Ｂによる表示色とする。この場合、当該２セル（２ピクセル）分の表示色（補色系の２色）は、ＲＧＢの３原色うちの１色を表示しているのと等価である。したがって、３ピクセルでＲＧＢの３原色うちの１色を表示できる。
【００７２】
一例を挙げると、構成＃１のセル６の表示色を赤粒子Ａによる赤に制御し、構成＃２及び＃３の２つのセル６の表示色をそれぞれマゼンタ及びイエローに制御する。このとき、マゼンタとイエローとの混色は、視認方向１００から観察した場合に赤を表示しているのと等価である。他の色についても同様に３ピクセル分の色面積を使って目的の色を表示することが可能である。したがって、目的の表示色の彩度を向上することができる。
【００７３】
（粒子の表面状態）
粒子Ａ〜Ｃの表面には、分散媒と相溶性の高い高分子を物理的に吸着させたり、化学的に結合させたりしてもよい。このようにすることで、粒子Ａ〜Ｃの分散液５中での分散性を向上させることができる。中でも、粒子表面からの離脱着の観点から、前記高分子は化学的に結合させるのが好ましい。かかる結合により、粒子Ａ〜Ｃの見かけの比重が小さくなる方向に作用して、粒子Ａ〜Ｃの分散媒における親和性、すなわち分散性を向上することができる。粒子Ｃについては、帯電粒子Ａ及びＢと比較して、分散液５における分散性が優れていてもよい。この場合、粒子Ｃ同士が凝集等して分散液５中で粒子Ｃの沈降が生じることを防止できる。その結果、カラー表示状態での色むらの発生を防止することができ、色表示特性を向上することができる。
【００７４】
高分子の一例としては、例えば、電気泳動粒子と反応性を有する基と帯電性官能基を有する高分子、電気泳動粒子と反応性を有する基と長鎖アルキル鎖、長鎖エチレンオキシド鎖、長鎖フッ化アルキル鎖、長鎖ジメチルシリコーン鎖等を有する高分子、および、電気泳動粒子と反応性を有する基と帯電性官能基と長鎖アルキル鎖、長鎖エチレンオキシド鎖、長鎖フッ化アルキル鎖、長鎖ジメチルシリコーン鎖等を有する高分子等が挙げられる。
【００７５】
このような高分子において、粒子Ａ〜Ｃと反応性を有する基（反応性基）の一例としては、エポキシ基、チオエポキシ基、アルコキシシラン基、シラノール基、アルキルアミド基、アジリジン基、オキサゾン基、およびイソシアネート基等が挙げられ、これらのうちの１種または２種以上を、粒子Ａ〜Ｃの種類等に応じて適宜に選択することができる。
【００７６】
ただし、帯電粒子Ａ及びＢの表面状態は、水に対して互いに反対の性質（親水性又は疎水性）を呈するように処理してもよい。例えば、帯電粒子Ａの表面状態を親水性とし、帯電粒子Ｂの表面状態を疎水性としてもよい。これに伴って、セル６内には親水部と疎水部とを設けてもよい。例えば、電極７１，７２，８１及び８２の形状及び配置に応じたパターンでセル６の内壁に親水部を設けることで、親水性粒子Ａは、相対的に当該親水部と強く相互作用し、親水部近傍に偏在あるいは親水部近傍に沿って泳動しやすくなる。
【００７７】
したがって、既述の電圧極性のパターン制御と相俟って、泳動経路の制御性を向上できる。その結果、親水部性／疎水性を粒子Ａ及びＢやセル６の内壁に付与しない場合に比して、表示色の切り替えの際に正負反対極性の帯電粒子Ａ及びＢが衝突（カップリング）してしまう確率をさらに低減することが可能となる。
【００７８】
（セル６内の親水／疎水部）
電気泳動表示体２の１つのセルに着目した模式的部分断面図である図６に、セル６の内壁に親水部３２及び疎水部３３を設けた一例を示す。ただし、電極形状及び配置は図３又は図４に例示した形状及び配置である。また、図６においては、電極７１，７２，８１，８２とセル６の内壁面との相対的な位置関係が示せればよい趣旨から、基板３、基板４及び隔壁３０の断面の図示は省略している（図７及び図８においても同様）。
【００７９】
図６に例示するように、親水部３２は、基板４側（視認側）の表面周縁電極７１及び基板３側の裏面周縁電極８１が設けられた位置にそれぞれ対応するセル６の内壁部分から隔壁３０にわたって設けられ、疎水部３３は、表面中央電極７２及び裏面中央電極８２に対応するセル６の内壁部分に設けられている。この場合、親水部３２の設けられたセル６の周縁領域には、セル６の内壁面を成す隔壁３０の表面が属し、疎水部３２の設けられたセル６の中央領域にはセル６の内壁面を成す基板３及び４の表面が属している。
【００８０】
セル６の内壁に親水部３２を形成する方法の一例としては、次のような方法が挙げられる。すなわち、まず、親水部３２を設けたいセル６の内壁表面を酸素プラズマや紫外線照射により親水化する。その際、適当なマスクを用いて、疎水部３３とすべき内壁には酸素プラズマや紫外線が照射されないようにする。
【００８１】
その後、親水化した内壁表面に、有機シラン化合物、有機金属化合物、セラミックス前駆体を気相から付着させることにより、膜厚が０．５〜５００ｎｍの膜を形成する。次いで、当該膜にプラズマや紫外線を照射することにより、膜中の炭素等の不純物を膜中から除去し、室温付近でセラミックス薄膜に化学変化させる。
【００８２】
これにより、セル６の内壁に、大気中や水中に放置しても初期の親水性を長期間保持することが可能な親水部３２を形成できる。また、セル６の内壁とその表面に形成した機能性膜との密着性も向上できる。したがって、親水部３２がセル６の内壁から剥離してしまう確率も低減できる。
【００８３】
なお、疎水部３３については、そもそも疎水性を有する材料を用いた基板３及び４の表面をそのままにしておくことで、親水部３２に対して相対的に形成されるものとしてよい。ただし、セル６の内壁の該当部分にあえて疎水層（膜）を形成することも可能である。これにより、表面状態が疎水性の粒子は、相対的に、セル６内の疎水部３３近傍に偏在しやすくなる。
【００８４】
また、親水部３２及び疎水部３３を設ける領域は、上記に限定されず、電極７１，７２，８１及び８２の形状及び配置に応じて適宜変更可能である。
【００８５】
（動作説明）
以下、本実施形態の電気泳動表示装置１の表示制御に着目した動作例について説明する。ただし、以下において、粒子Ａ〜Ｃの色、帯電状態及び表面状態の組み合わせは、例示的に、次表２のとおりとする。また、電極形状及び配置は図３又は図４にて既述のとおりとし、図６に例示したようにセル６の内壁には、親水部３２及び疎水部３３が設けられているものとする。
【表２】
2011048332.tif 000004
なお、上記の表２における粒子Ａ〜Ｃの帯電状態及び表面状態はすべて反転させてもよい。反転させた場合でも、以下に説明する動作は同様に成立する。
【００８６】
まず、図７（Ａ）〜図７（Ｄ）にそれぞれ或るセル６の表示状態の一例を示す。図７（Ａ）〜図７（Ｄ）において、粒子Ａの色は原色系３色の一例である赤（Ｒ）であり、粒子Ｂの色は補色系３色の一例であるシアン（Ｃｙ）である。
【００８７】
図７（Ａ）では、裏面中央電極８２に正（＋）電圧、裏面周縁電極８１に負（−）電圧がそれぞれ印加されている。なお、表面電極７１及び７２は無電圧（グランド状態）である。この場合、正帯電の赤粒子Ｒは、負電圧が印加されている裏面周縁電極８１近傍に偏在し、負帯電のシアン粒子Ｃｙは、正電圧が印加されている裏面中央電極８１近傍に偏在する。相対的に、白粒子Ｗは、視認側である基板４側に分散する。したがって、セル６は白表示となる。
【００８８】
図７（Ｂ）では、視認側の各表面電極７１及び７２のそれぞれに正電圧が印加されるとともに、裏面中央電極８２に正電圧が印加されている。なお、裏面周縁電極８１は、無電圧（グランド状態）であるが、裏面中央電極８１と同じ正電圧が印加される時間が存在してもよい。この場合、正帯電の赤粒子Ｒは、負電圧が印加されている表面電極７１及び７２近傍に偏在し、負帯電のシアン粒子Ｃｙは、正電圧が印加されている裏面中央電極８２近傍に偏在する。相対的に、白粒子Ｗは、基板３及び４間の中央近傍に分散する。したがって、セル６は赤表示となる。
【００８９】
図７（Ｃ）では、視認側の各表面電極７１及び７２のそれぞれに正電圧が印加されるとともに、裏面周縁電極８１に負電圧が印加されている。なお、裏面中央電極８２は、グランド状態であるが、裏面周縁電極８１と同じ負電圧が印加される時間が存在してもよい。この場合、正帯電の赤粒子Ｒは、負電圧が印加されている裏面中央電極８２近傍に偏在し、負帯電のシアン粒子Ｃｙは、正電圧が印加されている各表面電極７１及び７２近傍に偏在する。相対的に、白粒子Ｗは、基板３及び４間の中央近傍に分散する。したがって、セル６はシアン表示となる。
【００９０】
なお、裏面中央電極８２には、裏面周縁電極８１に負電圧を印加した後、負電圧を印加してもよい。このように同じ電極部８０に属する異なる電極８１及び８２に同じ極性の電圧を印加する際に、電圧印加タイミングをずらすことにより、赤粒子Ｒをいったん裏面周縁電極８１近傍に偏在させた後、電極８２近傍に向けて泳動させて分散させることができる。
【００９１】
図７（Ｄ）では、表面中央電極７２に正電圧、表面周縁電極７１に負電圧がそれぞれ印加されている。なお、裏面電極８１及び８２はそれぞれ無電圧（グランド状態）である。この場合、正帯電の赤粒子Ｒは、負電圧が印加されている裏面周縁電極８１近傍に偏在し、負帯電のシアン粒子Ｃｙは、正電圧が印加されている表面中央電極７２近傍に偏在する。相対的に、白粒子Ｗは、基板３及び４間の中央近傍に分散する。したがって、セル６は赤とシアンとの混色（つまりは黒）表示となる。
【００９２】
以上のように、１つのセル６に三種類の粒子Ｒ、Ｃｙ及びＷが存在することで、４通りの表示色を任意に作り出すことができる。
【００９３】
ここで、セル６の表示色を図７（Ｃ）に示すシアン表示から図７（Ｂ）に示す赤表示に切り替えた時のセル６内の粒子Ｒ，Ｃｙ，Ｗの状態遷移過程の一例を図８の（１）〜（４）に示す。
【００９４】
（１）はシアン表示がなされた状態を示している。このとき、表面電極７１及び７２に正電圧がそれぞれ印加され、裏面周縁電極８１に負電圧が印加されている。
【００９５】
（２）は（１）のシアン表示から赤表示に切り替えた直後の様子を示している。このとき、表面周縁電極７１は正から負に電圧極性が切り替わり、表面中央電極７２は正からグランド状態に電圧極性が切り替わっている。また、裏面周縁電極８１は負からグランド状態に、裏面中央電極８２はグランド状態から正にそれぞれ電圧極性が切り替わっている。この場合、親水性正帯電の赤粒子Ｒは、セル６の親水部３２近傍を伝って負電圧が印加されている表面周縁電極７１に向かって泳動を開始する。一方、疎水性負帯電のシアン粒子Ｃｙは、グランド状態の表面中央電極７２側に泳動を開始するとともに、正電圧が印加されている裏面中央電極８２（疎水部３３）に向かって泳動を開始する。このとき、疎水性の白粒子Ｗは、シアン粒子Ｃｙに押し退けられるようにして分散媒中を移動する。
【００９６】
（３）は上記（２）の切り替えから一定時間が経過した状態を示している。電圧極性のパターンは、（２）でのパターンのままである。
【００９７】
（４）は最終的にセル６の表示色が赤になった状態を示している。（２）及び（３）では表面中央電極７２がグランド状態になっているが、最終的に表面中央電極７２にも表面周縁電極７１と同じく負電圧が印加される。これにより、セル６の視認側である面全体に赤粒子Ｒを分散させることができる。
【００９８】
以上の各電極７１、７２、８１及び８２に対する電圧制御を表にまとめると例えば次表３に示すようになる。ただし、各電極７１、７２、８１及び８２の電圧値はそれぞれ＋Ｖ、０、−Ｖの３値のいずれかをとり得るものと仮定する。
【表３】
2011048332.tif 000005
【００９９】
また、表３において、Ｔ０はいずれの電極７１、７２、８１及び８２も電圧値がグランド（０）の状態である期間を表わし、Ｔ１は図８の（１）の期間、Ｔ２は図８の（２）及び（３）の期間、Ｔ３は図８の（４）の期間にそれぞれ対応している。この場合、各電極７１、７２、８１及び８２に印加される電圧値の時間的な変化を図示すると、それぞれ例えば図９に示すようになる。図９において、Ｔ０〜Ｔ３の各期間は、一部又は全部が同じ時間区間でもよいし異なる時間区間でもよく、各電気泳動粒子の泳動速度や電極配置、電極形状、電極サイズ等に応じてそれぞれ適当な時間区間に設定することができる（図１０においても同様）。
【０１００】
なお、上述した電圧制御例において、負帯電のＣｙ粒子は、いったん表面中央電極７２に集めてから裏面中央電極８２側へ泳動させるようにしてもよい。例えば次表４に示すように、上記の期間Ｔ１の後の期間Ｔ２′において、表面周縁電極７１は０、表面中央電極７２は＋Ｖ、裏面周縁電極８１は−Ｖ、裏面中央電極８２は０にそれぞれ制御する。
【表４】
2011048332.tif 000006
【０１０１】
これにより、期間Ｔ２′において、負帯電のＣｙ粒子は、電圧＋Ｖが印加されている表面中央電極７２に引き寄せられて当該電極７２近傍に偏在する。その後の期間Ｔ２及びＴ３において表３と同様の電圧制御を実施すれば、表面中央電極７２近傍に偏在しているＣｙ粒子は、電圧＋Ｖが印加されている裏面中央電極８２に向かって引き寄せられる。本例での各電極７１、７２、８１及び８２に印加される電圧値の時間的な変化はそれぞれ例えば図１０に示すようになる。
【０１０２】
このように、特定の粒子を視認側から反対側へ泳動させる過程で、当該特定の粒子をいったん表面中央電極７２に集めてから裏面中央電極８２側へ泳動させることで、当該特定の粒子と他の粒子との空間的な分離性をより向上することが可能である。なお、表３及び図９に例示したように、表面中央電極７２に電気泳動粒子をいったん集める過程（電圧制御）を実施しない場合は、実施する場合に比して表示色の切り替え速度を向上できる。したがって、電気泳動粒子のセル６内における空間的な分離性を優先する場合は表４及び図１０に例示した電圧制御を実施し、表示色の切り替え速度を優先する場合は表３及び図９に例示した電圧制御を実施することができる。
【０１０３】
以上のようにして、表示色の切り替えにより反対極性に帯電した赤粒子Ｒ及びシアン粒子Ｃｙを互いに反対方向に向かわせる場合に、それぞれをセル６内の異なる領域（空間）を経由する経路で泳動させることができる。したがって、表示色の切り替え時に反対極性の赤粒子Ｒ及びシアン粒子Ｃｙどうしが衝突、カップリングする確率を低減することができる。その結果、電気泳動表示装置１（電気泳動表示体２）の表示性能を向上することができる。なお、他の色についての表示色の切り替えも上記と同様の状態遷移を経て実現される。また、上述した例では、各電極７１、７２、８１及び８２に印加する電圧の正負（極性）を制御することでセル６内の電気泳動粒子の泳動経路を制御しているが、同じ極性であっても個々の電極７１、７２、８１及び８２に印加する電圧値を異ならせる（例えば、０Ｖ、５Ｖ、１０Ｖ等）ことで電気泳動粒子の泳動経路を制御することが可能である。
【０１０４】
〔２〕変形例
上述した例では、１つのセル６内に三種類の粒子Ａ〜Ｃが存在する場合を中心に説明を行なったが、粒子Ｃを除いた二種類（反対極性）の粒子Ａ及び粒子Ｂがセル６内に存在する場合についても、上述した例と同様に、粒子Ａ及びＢの帯電極性に応じたセル６内の泳動経路の制御が可能である。
【０１０５】
例えば、図７及び図８において、粒子Ａが親水性正帯電の白粒子であり、粒子Ｂが疎水性負帯電の黒粒子であると考えれば、モノクロ表示の白黒切り替え時において、白粒子及び黒粒子の泳動経路を個別に制御して、両粒子のカップリング率を低減することができる。
【０１０６】
例えば図１１（Ａ）に示すように、セル６内に印加する電界を適当に制御することで、白粒子はセル６の中央領域を優先的に泳動させ（点線矢印１０１参照）、黒粒子はセル６の側壁３０に近い側の領域を優先的に泳動させることができる（実線矢印１０２参照）。このように、セル６内に印加する電界を適当に制御することで、複数種の電気泳動粒子の泳動経路を個別的、空間的に分離することが可能である。
【０１０７】
なお、電気泳動粒子の泳動経路は、電気泳動粒子の泳動方向の相違によって個別的、空間的に分離してもよい。例えば図１１（Ｂ）に示すように、電気泳動粒子を視認側から離れる方向へ泳動させる際にはセル６の中央領域を優先的に泳動させ（点線矢印１０３参照）、電気泳動粒子を視認側へ向かう方向に泳動させる際にはセル６の側壁３０に近い側の領域を優先的に泳動させる（実線矢印１０４参照）ような電界制御を行なってもよい。
【０１０８】
あるいは逆に、例えば図１１（Ｃ）に示すように、電気泳動粒子を視認側へ向かう方向に泳動させる際にはセル６の中央領域を優先的に泳動させ（点線矢印１０５参照）、電気泳動粒子を視認側から離れる方向へ泳動させる際にはセル６の側壁３０に近い側の領域を優先的に泳動させる（実線矢印１０６参照）ような電界制御を行なってもよい。
【０１０９】
以上のようにして電気泳動粒子の泳動経路を色や泳動方向によって空間的に分離可能な場合、既述の親水部３２及び疎水部３３は設けないこととしてもよい。
【０１１０】
また、図３〜図５に例示した電極７１，７２，８１及び８２の一部又は全部は、より面積の小さい要素電極群に分割（細分化）してもよい。この場合に、例えば、同じ要素電極群に属する複数の要素電極に同じ極性の電圧を印加する際に、電圧印加タイミングをずらすことで、セル６内に存在する電気泳動粒子の泳動経路の制御性をより向上することができる。したがって、電気泳動粒子をより効率的に移動させることが可能である。
【０１１１】
〔３〕その他
上述した電気泳動表示装置１は、各種電子機器に備えることができる。電気泳動表示装置１を備える電子機器の一例としては、電子ペーパー、電子ブック、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネルを備えた機器等が挙げられる。
【符号の説明】
【０１１２】
１…電気泳動表示装置、２…電気泳動表示体、３，４…基板、５…分散液、６…セル（閉空間）、９…回路基板、３０…隔壁、３１…凹部、３２…親水部、３３…疎水部、７０…電極部（第１の電極部）、７１…電極（表面電極、表面周縁電極）、７２…電極（表面電極、表面中央電極）、８０…電極部（第２の電極部）、８１…電極（裏面電極、裏面周縁電極）、８２…電極（裏面電極、裏面中央電極）、９１…制御回路、Ａ…電気泳動粒子（正帯電粒子）、Ｂ…電気泳動粒子（負帯電粒子）、Ｃ…電気泳動粒子（微弱帯電又は無帯電粒子）、Ｒ…赤粒子、Ｃｙ…シアン粒子、Ｗ…白粒子
【図１】
2011048332.tif 000007
【図２】
2011048332.tif 000008
【図３】
2011048332.tif 000009
【図４】
2011048332.tif 000010
【図５】
2011048332.tif 000011
【図６】
2011048332.tif 000012
【図７】
2011048332.tif 000013
【図８】
2011048332.tif 000014
【図９】
2011048332.tif 000015
【図１０】
2011048332.tif 000016
【図１１】
2011048332.tif 000017